(57)【要約】紙幣（１）、チェック又は同様のものなどの貴重な文書を生成するためのセキュリティ要素であって、複数のピクセル（５）を含むエンボスホログラムを有し、エンボスホログラムの各々の表面積は、少なくとも一次元において裸眼で判別され得ない、セキュリティ要素の説明が与えられる。本発明によれば、これらのピクセル（５）の各々の表面積は、第１のサブ領域（６）及び第２のサブ領域（７）を有し、第１のサブ領域（６）は、５００ｎｍ〜２．０μｍの周期を有するホログラム格子構造（８）からなり、且つ１次回折次数（Ｒ−１）での観察時にピクセル（５）のホログラム効果をもたらすように設計され、第２のサブ領域（７）は、１５０ｎｍ〜４５０ｎｍの周期を有するサブ波長格子構造（９）からなるか、又はモスアイ構造若しくは光吸収微細構造からなり、且つグレージング角（Ｒ０）での観察時にピクセル（５）の色又は明／暗効果をもたらすように設計される。
2020503546.tif 000002
【特許請求の範囲】
【請求項１】
紙幣（１）、チェック又は同様のものなどの貴重な文書を生成するためのセキュリティ要素であって、複数のピクセル（５）を有するエンボスホログラムを有し、前記複数のピクセル（５）の表面は、それぞれの場合、少なくとも一次元において肉眼で判別され得ない、セキュリティ要素において、
−  前記ピクセル（５）の各々の前記表面は、第１の部分領域（６）及び第２の部分領域（７）を有し、
−  前記第１の部分領域（６）は、５００ｎｍ〜２．０μｍの周期を有するホログラム格子構造（８）からなり、且つ１次回折次数（Ｒ−１）での観測時に前記ピクセル（５）のホログラム効果をもたらすように具体化され、
−  前記第２の部分領域（７）は、１５０ｎｍ〜４５０ｎｍの周期を有するサブ波長格子構造（９）又はモスアイ構造若しくは光吸収微細構造からなり、且つグレージング角（Ｒ０）での観測時に前記ピクセル（５）の色効果又は明／暗効果をもたらすように構成されることを特徴とする、セキュリティ要素。
【請求項２】
前記第１の部分領域（６）は、複数のホログラムサブピクセル（６Ｒ、６Ｂ、６Ｇ）からなり、前記複数のホログラムサブピクセル（６Ｒ、６Ｂ、６Ｇ）の相対的な表面割合は、前記１次回折次数での前記ピクセル（５）の前記ホログラム効果の着色を決定し、前記第１の部分領域（６）の前記ピクセル（５）は、前記１次回折次数（Ｒ−１）でのトゥルーカラー画像（３）をもたらすことを特徴とする、請求項１に記載のセキュリティ要素。
【請求項３】
前記ピクセル（５）の少なくともいくつかについて、前記第２の部分領域（７）の前記サブ波長格子構造（９）は、色付与サブ波長格子構造として構成されることを特徴とする、請求項１又は２に記載のセキュリティ要素。
【請求項４】
前記第２の部分領域（７）は、それぞれの場合、前記グレージング角（Ｒθ）でそれぞれの場合に原色を呈する複数のサブ波長格子サブピクセル（７Ｒ、７Ｂ、７Ｇ）であって、前記サブ波長格子サブピクセル（７Ｒ、７Ｂ、７Ｇ）の相対的な表面割合は、前記グレージング角（Ｒθ）での前記ピクセル（５）の着色又は輝度を決定する、複数のサブ波長格子サブピクセル（７Ｒ、７Ｂ、７Ｇ）からなることを特徴とする、請求項３に記載のセキュリティ要素。
【請求項５】
前記ピクセル（５）は、前記１次回折次数（Ｒ−１）及び前記グレージング角（Ｒθ）での観測時にトゥルーカラー画像（３）を提示することを特徴とする、請求項２及び４の組み合わせに記載のセキュリティ要素。
【請求項６】
前記サブ波長格子構造は、透過（ＴＩ、ＴＩＩ）での観測時に前記ピクセル（５）の色効果又は明／暗効果をもたらすように形成されることを特徴とする、請求項１〜４のいずれか一項に記載のセキュリティ要素。
【請求項７】
前記ピクセル（５）は、透過（ＴＩ、ＴＩＩ）での観測時に前記トゥルーカラー画像（３）に対して逆の画像を提示することを特徴とする、請求項５及び６の組み合わせに記載のセキュリティ要素。
【請求項８】
前記光吸収微細構造（７Ｓ）又はモスアイ構造は、前記グレージング角での前記ピクセル（５）の黒の割合を決定することを特徴とする、請求項１〜７のいずれか一項に記載のセキュリティ要素。
【請求項９】
前記ピクセル（５）のいくつかは、平滑であり且つ金属被覆されている第３の部分領域（７Ｅ）であって、前記部分領域（７Ｅ）の表面割合は、前記グレージング角（Ｒｅ）及び透過（ＴＩ、ＴＩＩ）で前記ピクセル（５）の強度適応をもたらす、第３の部分領域（７Ｅ）を有することを特徴とする、請求項１〜８のいずれか一項に記載のセキュリティ要素。
【請求項１０】
前記ピクセル（５）は、ストライプの形状を有し、前記ホログラムサブピクセル（６Ｒ、６Ｂ、６Ｇ）は、同様にストライプの形状を有し、及び前記ストライプの幅は、前記着色を設定することを特徴とする、請求項１〜９のいずれか一項に記載のセキュリティ要素。
【請求項１１】
ホログラム構造が位置しない前記ピクセル（５）の領域は、光吸収構造、好ましくはモスアイ構造又は光吸収微細構造で満たされることを特徴とする、請求項１０に記載のセキュリティ要素。
【請求項１２】
前記エンボスホログラムは、透明誘電体に埋め込まれることを特徴とする、請求項１〜１１のいずれか一項に記載のセキュリティ要素。
【請求項１３】
請求項１〜１２のいずれか一項に記載のセキュリティ要素を有する、紙幣（１）、チェック又は同様のものなどの貴重な文書。
【請求項１４】
紙幣（１）、チェック又は同様のものなどの貴重な文書を生成するためのセキュリティ要素を生成する方法において、エンボス構造は、基板にエンボス加工され且つ金属化され、及び請求項１〜１２のいずれか一項に記載の複数のピクセル（５）から構築されることを特徴とする方法。
【発明の詳細な説明】
【技術分野】
【０００１】
本発明は、ホログラフィックセキュリティ要素（holographic security element）及びその生成方法に関する。
【背景技術】
【０００２】
エンボスホログラム（embossed hologram）（例えば、E．G．Loewen，E．Popov，Diffraction Gratings and Applications, Marcel Dekker，New York，1997（非特許文献１）及び米国特許第７１２９０２８Ｂ２号（特許文献１）から知られている）は、紙幣及びペイメントカードのセキュリティ特徴として並びにブランド保護において広く使用されている。一般に、それらのエンボスホログラムは、異なる周期及び方位角（azimuth angle）の配向を有する回折格子の形態のホログラム格子（hologram grating）構造を含むエンボス構造からなる。観測者は、ホログラムの再構成角度での１次回折次数（first order of diffraction）の反射においてホログラム効果を知覚する。１次回折次数への回折は、観測者によって色として知覚される。例えば、アルミニウム蒸着正弦格子（aluminum vapor-deposited sine grating）の形態のホログラム格子構造によって実現され、従って特定の観測角度でのみ知覚可能であるカラーモチーフ（color motifs）である。グレージング角（grazing angle）での反射は、比較的低いコントラストである。グレージング角での反射におけるエンボスホログラムは、無彩色のように見え、且つ透過光では暗い。トゥルーカラー（true color）画像は、ピクセルの配列によって再現することができ、それぞれの場合に３つの異なる格子がサブピクセルとして位置する。前記３つの格子は、原色（典型的には赤、緑及び青）に対応する。ピクセルの所望の色の設定は、サブピクセルの対応する表面割合による原色の色混合を介して行われる。色の強度は、ホログラフィック構造によって占有されるピクセルの表面成分のサイズによって調整される。ピクセルの表面が格子で完全に満たされている場合、その色は、最大の明るさ（brilliance）で見える。部分領域が空のままである場合、その色は、相応に色あせる（more pale）。グレージング角でのモチーフ（motif）は、強度がわずかに変調された明るい反射性の表面のように、わずかにうっすらとのみ見ることができる。特に、トゥルーカラーホログラムにおける欠点は、１次回折次数でのモチーフが狭い角度の許容範囲内でのみトゥルーカラーに見えることである。この欠点は、特に、好ましくない光条件下での観測に影響を及ぼす。加えて、再構成角度外に傾けられると、トゥルーカラー画像は、直ちに「間違った色」に見えるようになる。グレージング角での観測時に画像がネガティブに移行し得ることは、その場合、構造で満たされていない表面割合により、入射光が観測者の目の方に誘導され、従って眩しく照らされる可能性があるため、特に深刻であると考えられる。
【０００３】
さらに、反射において及び透過においても色を与えるのに適したサブ波長格子が知られている。グレージング角で着色されているように見え、加えてコスト効率良く箔にエンボス加工することができる金属構造については、国際公開第２０１３／０５３４３５Ａ１号（特許文献２）、独国特許出願公開第１０２０１１１０１６３５Ａ１号（特許文献３）及び独国特許出願公開第１０２０１５００８６５５Ａ１号（特許文献４）の文献で説明されている。これらのサブ波長格子は、一次元及び二次元周期構造であり得る。そのようなサブ波長格子は、同様にトゥルーカラー画像の生成に適している。ホログラム格子構造とは対照的に、トゥルーカラー画像は、ここで、０次回折次数（すなわちグレージング角）で見ることができる。サブ波長格子は、透過においてトゥルーカラー画像が形成されるように構成することもできる。そのようなトゥルーカラー画像を生成するための公知の方法は、同様に、異なるプロファイルパラメータのサブ波長格子に対応するサブピクセルにおける原色の色混合による、所望の色のピクセル単位の適応を利用する（H．Lochbihler，"Colored images generated by metallic sub-wavelength gratings,"Opt．Express 17(14)，12189-12196（2009）（非特許文献２）、国際公開第２０１２／０１９２２６Ａ１号（特許文献５）、欧州特許出願公開第２９６０６９０Ａ１号（特許文献６）及び国際公開第２０１４／１７９８９２Ａ１号（特許文献７）を参照されたい）。
【先行技術文献】
【特許文献】
【０００４】
【特許文献１】米国特許第７１２９０２８Ｂ２号
【特許文献２】国際公開第２０１３／０５３４３５Ａ１号
【特許文献３】独国特許出願公開第１０２０１１１０１６３５Ａ１号
【特許文献４】独国特許出願公開第１０２０１５００８６５５Ａ１号
【特許文献５】国際公開第２０１２／０１９２２６Ａ１号
【特許文献６】欧州特許出願公開第２９６０６９０Ａ１号
【特許文献７】国際公開第２０１４／１７９８９２Ａ１号
【非特許文献】
【０００５】
【非特許文献１】E. G. Loewen, E. Popov, Diffraction Gratings and Applications, Marcel Dekker, New York,1997
【非特許文献２】H. Lochbihler, ”Colored images generated by metallic sub-wavelength gratings, "Opt. Express 17（14）,12189-12196（2009）
【発明の概要】
【発明が解決しようとする課題】
【０００６】
本発明は、セキュリティ要素（security element）であって、公知のエンボスホログラムの光学特性を有し、加えてグレージング角でモチーフを変造せず、好ましくは、ここで、同様に高コントラスト構成でモチーフを示すセキュリティ要素を提供するという目的に基づく。
【課題を解決するための手段】
【０００７】
請求項１、１３及び１４において定義されるような本発明である。従属請求項は、有利な発展形態に関する。
【０００８】
本発明は、従来のエンボスホログラムを改善し、モチーフの認識度を高める。モチーフは、それぞれの場合、典型的な方式でホログラム格子構造（すなわち構造）を有する複数のピクセルによって形成され、ホログラム格子構造は、光学領域において、異なる格子周期及び格子アラインメントを有する回折格子として作用する。ホログラフィック構造による１次回折次数でのモチーフのそのような生成は、先行技術において知られている。例として、刊行物H．Caulfield，"The Art and Science of Holography, "SPIE, 2004, ＩＳＢＮ  ０−８１９４−５０１９−７及びここで例えば２０１〜２０９ページが参照される。ピクセルに対して望ましい色は、例えば、関連サブピクセルの３つの原色からの色混合によって形成される。ピクセルの全体のサイズは、もはや肉眼で判別できるようなものではない（例えば、サイズは、１００μｍ以下である）。しかし、例えば、ピクセルが細長く狭いストライプ（stripes）の形状を有する場合、このサイズを単なる一次元のピクセルと関連付けることも可能である。ピクセルを肉眼で全く判別できない場合、最終的にスムーズな強度分布を有する画像が得られる。サブピクセルは、ピクセルの一部のみを占有し、各サブピクセルは、原色に割り当てられる。混合色は、互いに関連するサブピクセルの表面割合によって得られる。ホログラフィック画像は、ピクセル全体のうちの部分領域のみを構成する前記サブピクセルによって生成される。ピクセルの別の部分領域は、色付与サブ波長格子（color-imparting sub-wavelength grating）或いはモスアイ（moth-eye）構造（周期、準周期（quasi-periodic）若しくは非周期（aperiodic）サブ波長構造（sub-wavelength structure）の形態）又は光吸収若しくは光着色微細構造として知られているものを含む。
【０００９】
ピクセルは、画像情報をコード化するために使用される表面の任意の所望の形態（Ｌ字形、円形又は不規則なジオメトリ（geometries）を含む）も意味するものと理解されている。一般に、これは必須ではないが、この配列は、規則的なもの（例えば、長方形又は正方形のピクセルの形態）である。
【００１０】
セキュリティ要素では、複数のピクセル及び好ましくは各ピクセルは、少なくとも２つの部分領域を有する。第１の部分領域は、ホログラム構造によって形成され、且つ最終的に１次回折次数で見ることができるホログラフィック画像を提供する。第２の部分領域（好ましくはピクセルの残りの部分）は、サブ波長格子或いはモスアイ構造又は光吸収若しくは光着色微細構造で満たされる。従って、サブ波長格子又は光着色微細構造の反射色は、グレージング角での観測時に見られる。微細構造が光吸収であるか又はモスアイ構造が使用される場合、ピクセルは、グレージング角で暗く見える。このように、セキュリティ特徴の外観は、グレージング角での観測時に制御され得る。サブ波長格子又は微細構造が半透明となるように具体化される場合、透過観測（transmission observation）において色を設定することも可能である。
【００１１】
反射（及び加えて任意選択的に透過光）において第２の部分領域に提供される構造の色は、格子プロファイルの選択及び使用されるコーティングに依存する。これは、サブ波長格子に対する先行技術から知られており、同じことが微細構造にも当てはまる。第１の部分領域に対する第２の部分領域の表面比を適応させることにより、各ピクセルについて、グレージング角での観測時に段階的に強度が変化するモチーフを生成することが可能である。各ピクセルの第２の部分領域が追加的に構造化されない場合、この領域は、一色に見える。
【００１２】
一実施形態の変形形態では、第２の部分領域は、異なる色のサブピクセルに分割され、これは、反射のグレージング角でトゥルーカラー画像も実現されることを意味する。好みにより、３つの異なるサブピクセルが提供され、サブピクセルには、事前に定義された観測角度に対して原色（例えば、赤、緑及び青）が割り当てられる。グレージング角で（及び任意選択的に透過光でも）観測時に第２の部分領域が生成する所望の色は、各ピクセルについて、３つのサブピクセルの相対的な表面割合によって設定される。その場合、観測者は、各ピクセルについてサブピクセルの混合色を知覚する。
【００１３】
さらなる好ましい実施形態の変形形態では、最初に、１次回折次数で見えるトゥルーカラーホログラムが計算される（特にピクセル及びサブピクセルに分割される）。その後、依然として必要とされておらず、第２の部分領域の機能を有する表面領域が微細構造又はサブ波長構造で満たされる。第２の部分領域をピクセル及び場合によりサブピクセルに分割することは、この変形形態では、第１の部分領域のピクセル分割及びサブピクセル分割から独立して行うことができる。特に好ましい構成では、第２の部分領域のエンボス構造は、光吸収に役立ち、それらのエンボス構造は、第２の部分領域を完全に又は部分的に満たし得る。
【００１４】
本発明は、例示的な実施形態における図面を参照して以下でより詳細に説明される。
【図面の簡単な説明】
【００１５】
【図１】ホログラムとしての１次回折次数での画像及びグレージング角での観測時の同じ画像を示すセキュリティ要素を有する紙幣の図を示す。
【図２】画像が構成されるピクセル構造を示すための、図１のセキュリティ特徴において見ることができる画像の図を示す。
【図３】サブピクセルからピクセルを構築するための異なる変形形態を示し、各ピクセルは、ホログラム格子構造が位置する第１の部分領域と、サブ波長格子構造が形成される第２の部分領域とを有する。
【図４】サブピクセルからピクセルを構築するための異なる変形形態を示し、各ピクセルは、ホログラム格子構造が位置する第１の部分領域と、サブ波長格子構造が形成される第２の部分領域とを有する。
【図５】サブピクセルからピクセルを構築するための異なる変形形態を示し、各ピクセルは、ホログラム格子構造が位置する第１の部分領域と、サブ波長格子構造が形成される第２の部分領域とを有する。
【図６】異なる領域を示すためのピクセルの例示的な断面図を示す。
【図７】異なる領域を示すためのピクセルの例示的な断面図を示す。
【図８】２つの部分領域における格子構造の機能のモードを示すための概略断面図を示す。
【図９】２つの部分領域における格子構造の機能のモードを示すための概略断面図を示す。
【図１０】ストライプ形状のピクセルを有するさらなるセキュリティ要素の平面図を示す。
【発明を実施するための形態】
【００１６】
図１は、紙幣１の平面図を概略的に示し、紙幣１は、偽造に対する保護を強化するためのセキュリティ要素２を有する。セキュリティ要素２は、この場合、Duererの画像である（図２を参照されたい）モチーフ３を生成するエンボスホログラムを含む。図２は、モチーフ３の詳細４を示し、画像３が複数のピクセル５から構成されていることを示す。各ピクセル５は、部分領域からなる。図３〜５は、この分割に対する異なる実施形態を示す。図３では、各ピクセル５は、第１の部分領域６及び第２の部分領域７を有する。第１の部分領域では、１次回折次数でホログラムとしてモチーフ３を目に見えるようにするために必要なホログラム格子構造が形成される。ピクセル５の第２の部分領域７は、グレージング角で（及び任意選択的に透過でも）認識可能な同じモチーフ又は別のモチーフをレンダリングするサブ波長格子構造又は微細構造を有する。第１の部分領域６のホログラム格子構造は、そのエリアを介して、１次回折次数での対応するピクセル５に対する輝度（brightness）値を設定する。第２の部分領域７の構造は、グレージング角での観測時に同じ効果を有する。図３では、第３の任意選択的な部分領域７Ｓも提供されており、その構造は、純粋に光吸収性であるように（すなわちモスアイ構造として）形成される。このように、第１及び第２の部分領域の分割に加えて、輝度比又は強度比を設定することができる。代替として、第３の部分領域は、金属被覆されている不透明の平滑領域（smooth region）を含むこともできる。前記第３の部分領域はまた、個々のピクセル５における強度適応（intensity adaptation）をもたらす。当然ながら、第２の部分領域における光吸収微細構造又はモスアイ構造のみの使用も可能である。これにより、セキュリティ要素が１次回折次数の角度からグレージング角に傾けられた際の画像のネガティブ化を防ぐ。
【００１７】
図４は、部分領域６をサブピクセル６Ｒ、６Ｇ、６Ｂ（赤、緑及び青の原色が割り当てられる）に分割することにより、１次回折次数でトゥルーカラー画像を生成するピクセル５の構成を示す。サブピクセルの表面比は、混合色を設定する。ピクセル７の残りの表面では、次にサブ波長格子構造が提供される。原理上、この選択肢が可能であることを示すため、ここでは、上記で言及されるように平滑層（smooth layer）として形成される第３の部分領域７Ｅも提供される。当然ながら、第３の部分領域は、原理上省略することもでき、ピクセル５は、排他的に第１及び第２の部分領域からなり得る。
【００１８】
図５は、さらなる発展形態を示し、第２の部分領域は、この場合もやはりサブ波長格子構造によってサブピクセル７Ｒ、７Ｇ、７Ｂに形成され、グレージング角での観測時にトゥルーカラー画像をもたらす。
【００１９】
図６及び７は、例示的なピクセル５の領域の断面図を示す。それらの図は、第１の部分領域のサブピクセル６Ｂ、６Ｇ、６Ｒのホログラム格子構造８が、使用される正弦格子の周期において異なることを示す。これは、例示を目的とした単なる例である。当業者は、トゥルーカラーホログラムのためにホログラム格子構造からサブピクセルをどのように構築しなければならないかを知っている。図６の第２の部分領域７は、例として、サブ波長格子構造９がモスアイ構造であるように構成される。結果的に、ここでの構造は、赤、緑及び青に加えて、第４のカラーチャネルとして使用される黒の値のみを設定し、加えて傾けた際のモチーフの反転を防ぐ。
【００２０】
図７は、ピクセル５の断面図を示す。ホログラム格子構造８は、この場合もやはりサブピクセル６Ｂ、６Ｇ、６Ｒによって構築される。加えて、サブ波長格子構造９を有する第２の部分領域７は、同様に、幾何学的に異なるように構造化されたサブピクセル７Ｂ、７Ｇ、７Ｒ及びモスアイ構造７Ｓによって形成される。
【００２１】
図８は、ピクセル５の異なる部分領域における効果を示す。第１の部分領域６ではホログラム格子構造が形成され、図８の例では赤のサブピクセル６Ｒの形態である。入射放射線は、１次回折次数Ｒ−１での観測時に赤色として知覚される。他方では、サブ波長格子構造に関して、グレージング角Ｒ０での観測により、サブ波長構造の色の印象（この場合、緑のサブピクセル７Ｇ及び赤のサブピクセル７Ｒ）が表される。
【００２２】
図９は、変形形態における同じ条件を示し、サブ波長構造は、透過性としても作用する。ホログラム格子構造の領域で顕著な透過は起こらないが、サブ波長格子構造の領域では、サブピクセル７Ｇ、７Ｒに対して異なる色ＴＩ、ＴＩＩを有する着色透過が得られる。
【００２３】
図１０は、トゥルーカラーホログラムのさらなる例を示す。ここで、ピクセル７は、ストライプの形状であり、それぞれの場合にカラートラック６Ｒ、６Ｇ、６Ｂの形態の個々のサブピクセルを含む。図１０の左のピクセル５は、ここで、サブピクセルがピクセル５を格子で完全に満たすように構成される。この場合、色は、結果的に最大の明るさを有する色混合として見られる。色強度は、幅により且つ結果的にサブピクセルの表面被覆率により調整される。ここで、ストライプ幅は、長手方向の長さに沿って減少させることができ、ストライプは、中断することもできる。非被覆領域（すなわちホログラム構造がサブピクセル６Ｒ、６Ｇ、６Ｂに位置しないピクセル５の領域）は、ここで、モスアイ構造の形態のサブ波長構造で満たされる。このモスアイ構造７Ｓは、図１０の左から２番目のピクセル５の例として示されている。それらの構造は、光吸収構造として作用し、典型的には、規則的に又は不規則的に配列された凸部又は凹部（可視光の波長より小さい周期又は準周期を有する）からなる。光吸収微細構造（例えば、入射光を実質的に吸収するようなアスペクト比を有するマイクロキャビティ（microcavities））も適している。この点において、独国特許出願公開第１０２０１３００９９７２Ａ１号、独国特許出願公開第１０２０１４００４９４１Ａ１号及び国際公開第２０１４／１６１６７３Ａ１号が参照され、その微細構造は、７Ｒ、７Ｂ、７Ｇ又は７Ｓにおいて使用することができる。従って、色を生成する必要のないピクセル５の表面領域は、光吸収構造で満たされる。結果的に、先行技術におけるホログラフィック構造によって占有されていないピクセル５の部分による入射光の鏡面反射を防ぐため、１次回折次数の角度外にホログラムを傾けた際に画像がポジティブからネガティブに変わることを防ぐ。
【００２４】
この手法は、４つのカラーチャネル（赤、緑、青の原色（又はサブピクセルによって提供される原色）及びコントラストを与えるための第４のチャネルとしての黒）における画像の構築にも使用することができる。
【００２５】
一般に、他の色（異なる数でも）を色混合に使用することができ、この場合でも、黒は、コントラストを与えるための追加のチャネルとして使用される。
【００２６】
ピクセル５の異なる分割及び形状について説明してきたが、これらの構成は、当然ながら、モチーフ３の全てのピクセルにおいて使用しなければならないわけではない。モチーフを生成するために異なる選択肢を混合することも可能である。
【符号の説明】
【００２７】
１  紙幣
２  セキュリティ要素
３  モチーフ
４  詳細
５  ピクセル
６  第１の部分領域
６Ｒ、６Ｇ、６Ｂ  サブピクセル
７  第２の部分領域
７Ｒ、７Ｇ、７Ｂ  サブピクセル
７Ｅ  平滑領域
７Ｓ  モスアイ構造
８  ホログラム格子構造
９  サブ波長構造
Ｅ  入射放射線
Ｒ−１  １次回折次数
Ｒ０  グレージング角
ＴＩ  第１の色の場合の透過
ＴＩＩ  第２の色の場合の透過
【図１】
2020503546.tif 000003
【図２】
2020503546.tif 000004
【図３】
2020503546.tif 000005
【図４】
2020503546.tif 000006
【図５】
2020503546.tif 000007
【図６】
2020503546.tif 000008
【図７】
2020503546.tif 000009
【図８】
2020503546.tif 000010
【図９】
2020503546.tif 000011
【図１０】
2020503546.tif 000012
【手続補正書】
【提出日】令和1年8月20日(2019.8.20)
【手続補正２】
【補正対象書類名】特許請求の範囲
【補正対象項目名】全文
【補正方法】変更
【補正の内容】
【特許請求の範囲】
【請求項１】
紙幣（１）、チェック又は同様のものなどの貴重な文書を生成するためのセキュリティ要素であって、複数のピクセル（５）を有するエンボスホログラムを有し、前記複数のピクセル（５）の表面は、それぞれの場合、少なくとも一次元において肉眼で判別され得ない、セキュリティ要素において、
−  前記ピクセル（５）の各々の前記表面は、第１の部分領域（６）及び第２の部分領域（７）を有し、
−  前記第１の部分領域（６）は、５００ｎｍ〜２．０μｍの周期を有するホログラム格子構造（８）からなり、且つ１次回折次数（Ｒ−１）での観測時に前記ピクセル（５）のホログラム効果をもたらすように具体化され、
−  前記第２の部分領域（７）は、１５０ｎｍ〜４５０ｎｍの周期を有するサブ波長格子構造（９）又はモスアイ構造若しくは光吸収微細構造からなり、且つグレージング角（Ｒ０）での観測時に前記ピクセル（５）の色効果又は明／暗効果をもたらすように構成されることを特徴とする、セキュリティ要素。
【請求項２】
前記第１の部分領域（６）は、複数のホログラムサブピクセル（６Ｒ、６Ｂ、６Ｇ）からなり、前記複数のホログラムサブピクセル（６Ｒ、６Ｂ、６Ｇ）の相対的な表面割合は、前記１次回折次数での前記ピクセル（５）の前記ホログラム効果の着色を決定し、前記第１の部分領域（６）の前記ピクセル（５）は、前記１次回折次数（Ｒ−１）でのトゥルーカラー画像（３）をもたらすことを特徴とする、請求項１に記載のセキュリティ要素。
【請求項３】
前記ピクセル（５）の少なくともいくつかについて、前記第２の部分領域（７）の前記サブ波長格子構造（９）は、色付与サブ波長格子構造として構成されることを特徴とする、請求項１に記載のセキュリティ要素。
【請求項４】
前記第２の部分領域（７）は、それぞれの場合、前記グレージング角（Ｒθ）でそれぞれの場合に原色を呈する複数のサブ波長格子サブピクセル（７Ｒ、７Ｂ、７Ｇ）であって、前記サブ波長格子サブピクセル（７Ｒ、７Ｂ、７Ｇ）の相対的な表面割合は、前記グレージング角（Ｒθ）での前記ピクセル（５）の着色又は輝度を決定する、複数のサブ波長格子サブピクセル（７Ｒ、７Ｂ、７Ｇ）からなることを特徴とする、請求項３に記載のセキュリティ要素。
【請求項５】
前記ピクセル（５）は、前記１次回折次数（Ｒ−１）及び前記グレージング角（Ｒθ）での観測時にトゥルーカラー画像（３）を提示することを特徴とする、請求項２及び４の組み合わせに記載のセキュリティ要素。
【請求項６】
前記サブ波長格子構造は、透過（ＴＩ、ＴＩＩ）での観測時に前記ピクセル（５）の色効果又は明／暗効果をもたらすように形成されることを特徴とする、請求項１に記載のセキュリティ要素。
【請求項７】
前記ピクセル（５）は、透過（ＴＩ、ＴＩＩ）での観測時に前記トゥルーカラー画像（３）に対して逆の画像を提示することを特徴とする、請求項５及び６の組み合わせに記載のセキュリティ要素。
【請求項８】
前記光吸収微細構造（７Ｓ）又はモスアイ構造は、前記グレージング角での前記ピクセル（５）の黒の割合を決定することを特徴とする、請求項１に記載のセキュリティ要素。
【請求項９】
前記ピクセル（５）のいくつかは、平滑であり且つ金属被覆されている第３の部分領域（７Ｅ）であって、前記部分領域（７Ｅ）の表面割合は、前記グレージング角（Ｒｅ）及び透過（ＴＩ、ＴＩＩ）で前記ピクセル（５）の強度適応をもたらす、第３の部分領域（７Ｅ）を有することを特徴とする、請求項１に記載のセキュリティ要素。
【請求項１０】
前記ピクセル（５）は、ストライプの形状を有し、前記ホログラムサブピクセル（６Ｒ、６Ｂ、６Ｇ）は、同様にストライプの形状を有し、及び前記ストライプの幅は、前記着色を設定することを特徴とする、請求項１に記載のセキュリティ要素。
【請求項１１】
ホログラム構造が位置しない前記ピクセル（５）の領域は、光吸収構造、好ましくはモスアイ構造又は光吸収微細構造で満たされることを特徴とする、請求項１０に記載のセキュリティ要素。
【請求項１２】
前記エンボスホログラムは、透明誘電体に埋め込まれることを特徴とする、請求項１に記載のセキュリティ要素。
【請求項１３】
請求項１〜１２のいずれか一項に記載のセキュリティ要素を有する、紙幣（１）、チェック又は同様のものなどの貴重な文書。
【請求項１４】
紙幣（１）、チェック又は同様のものなどの貴重な文書を生成するためのセキュリティ要素を生成する方法において、エンボス構造は、基板にエンボス加工され且つ金属化され、及び請求項１〜１２のいずれか一項に記載の複数のピクセル（５）から構築されることを特徴とする方法。
【国際調査報告】
2020503546.tif 000013
2020503546.tif 000014
2020503546.tif 000015
2020503546.tif 000016
2020503546.tif 000017
2020503546.tif 000018